(57)【特許請求の範囲】
【請求項１】
パチンコ球が複列で流下する球通路と、前記球通路に臨み最先のパチンコ球を支持する制御体とを備えたパチンコ機の球制御装置において、
前記制御体は、周面に同時に２個のパチンコ球を受け入れない球受部と、該球受部の両端部に設けられ該球受部に向って傾斜するガイド面とからなり、
さらに、前記一方のガイド面と前記他方のガイド面は傾斜角度が異なるように形成されていて、
前記制御体が可動すると、前記球通路を流下してきたパチンコ球が単列で流出するようにしたことを特徴とする球制御装置。
【請求項２】
パチンコ球が複列で流下する球通路と、前記球通路に臨み最先のパチンコ球を支持する制御体とを備えたパチンコ機の球制御装置において、
前記制御体は、周面に同時に２個のパチンコ球を受け入れない球受部と、該球受部の端部に設けられ該球受部に向って傾斜するガイド面とからなり、
さらに、前記ガイド面には凹凸が設けられていて、
前記制御体が可動すると、前記球通路を流下してきたパチンコ球が単列で流出するようにしたことを特徴とする球制御装置。
【請求項３】
パチンコ球が連続して流下する球通路と、該球通路に臨み最先のパチンコ球を支持する制御体とを備えた球制御装置において、
前記球通路の通路幅をパチンコ球がランダムに流下する幅広に形成し、
前記制御体は、周面に同時に２個のパチンコ球を受け入れない球受部と、該球受部の両端部に設けられ該球受部に向って傾斜するガイド面とからなり、
さらに、前記一方のガイド面と前記他方のガイド面は傾斜角度が異なるように形成されていて、
前記制御体が可動すると、前記球通路を流下してきたパチンコ球が単列で流出するようにしたことを特徴とする球制御装置。
【請求項４】
パチンコ球が連続して流下する球通路と、該球通路に臨み最先のパチンコ球を支持する制御体とを備えた球制御装置において、
前記球通路の通路幅をパチンコ球がランダムに流下する幅広に形成し、
前記制御体は、周面に同時に２個のパチンコ球を受け入れない球受部と、該球受部の端部に設けられ該球受部に向って傾斜するガイド面とからなり、
さらに、前記ガイド面には凹凸が設けられていて、
前記制御体が可動すると、前記球通路を流下してきたパチンコ球が単列で流出するようにしたことを特徴とする球制御装置。
【発明の詳細な説明】
【０００１】
【発明の属する技術分野】
本発明は、パチンコ球を制御する球払出装置等の球制御装置に関するものであり、特に複列で流下するパチンコ球を単列で排出する球制御装置に関するものである。
【０００２】
【従来の技術】
従来のパチンコ機においては、球タンクの貯留球を球誘導樋等で整列する整流装置や、該整流装置で整列したパチンコ球を１個ずつ払出す球払出装置、さらには入賞球を１個ずつ排出する入賞球処理装置等の多くの球制御装置が使用されている。
【０００３】
上記した球制御装置は、例えば、二列の球通路の各列のパチンコ球を１個単位で制御して送り出す機構として、外周に数個の円弧面とパチンコ球が嵌入し得る凹窪を等間隔で形成した円盤状になる回転体を前記二列の各列の球通路ごとに臨ませて設置し、各列の回転体は互いの円弧面の１個分に対する半ピッチを回転方向へ変位させて並列に設置し、一方の回転体の円弧面が一方の球通路に臨んでいるとき、他方の回転体の凹窪が他方の球通路に臨んで互いの回転体の円弧面と凹窪が各列の球通路に食い違い状に臨ませることにより、各列のパチンコ球を１個ずつ所定のタイミング差をもって交互に取り込んで単列で送出すようにして、パチンコ球を１個単位で払出すものがある。（特公平５−５５１５号公報参照）
【０００４】
また、球払出装置においては払出されたパチンコ球を１個の検出スイッチで計数するように排出通路を絞り込んで払出されたパチンコ球を一列に整列するようにした球払出装置が提案されている。
【０００５】
【発明が解決しようとする課題】
しかしながら、上記球制御装置は、排出通路を絞り込むことによって１列に整列するため、払出されたパチンコ球同士が接触し球詰りを起したり、球払出装置においては、払出してから検出されるまでのタイムラグのために高速で払出すことができなかった。
【０００６】
また、球通路がパチンコ球のほぼ直径に等しい１２ｍｍであるため、連続するパチンコ球の球心が流下方向に常に一定な状態にあり、回転体に支持される最先のパチンコ球にかかる球圧がすべて回転体にかかり、大きな負担となり円滑なパチンコ球の払出しができなくなるという問題があった。
【０００７】
そこで本発明は、従来技術の有するこのような問題点に鑑みてなされたものであり、その目的とするところは、球通路のパチンコ球を制御する回転体に負担をかけることなく１個ずつ確実にスムーズに排出することができるパチンコ機の球制御装置を提供しようとするものである。
【０００８】
【課題を解決するための手段】
上記目的を達成するために、本発明は、パチンコ球が複列で流下する球通路と、該球通路に臨み最先のパチンコ球を支持する制御体とを備えたパチンコ機の球制御装置において、前記制御体は、周面に同時に２個のパチンコ球を受け入れない球受部を設けると共に、制御体の端部に該球受部に向って傾斜するガイド面を設け、該制御体の可動によりパチンコ球を単列で流出するようにしたことを特徴とする。
【０００９】
また、パチンコ球が連続して流下する球通路と、該球通路に臨み最先のパチンコ球を支持する制御体とを備えた球制御装置において、前記球通路の通路幅をパチンコ球がランダムに流下する幅広とすると共に、前記制御体は周面に同時に２個のパチンコ球を受け入れない球受部を設けると共に、制御体の端部に該球受部に向って傾斜するガイド面を設け、該制御体の可動によりパチンコ球を単列で流出するようにしたことを特徴とする。
【００１０】
また、請求項１および請求項３記載発明は、前記ガイド面を制御体の両端に設けると共に、該ガイド面の傾斜角度を異ならせたことを特徴とする。
【００１１】
また、請求項２および請求項４記載発明は、前記ガイド面に凹凸を設けたことを特徴とする。
【００１２】
また、本発明は、前記制御体を電気的駆動源により可動するようにしている。
【００１３】
また、本発明は、前記単列で流出したパチンコ球を検知する検出手段を設けている。
【００１４】
また、前記幅広の球通路の内壁に突起を設けるのが好ましく、該突起によりパチンコ球の流下速度を減少させると共に、パチンコ球の動きがよりランダムとなり供給通路１３での球詰りを起さないようにするのがよい。また、供給通路１３の終端をパチンコ球が平行に並んで球詰まりしないように前後方向にずらして、球心位置を変位するのが好ましい。
【００１５】
なお、本発明の球制御装置は、貸球または賞球用の球払出装置に限られることなく、パチンコ機間に設けられる球貸し機、さらには球タンクへの補給機にも適用することができる。
【００１６】
【発明の実施の形態】
次に、本発明に係る球制御装置を球払出装置として図面を参照して説明する。図１は本発明の球払出装置が適用されるパチンコ機１の裏面図である。パチンコ機１の裏側には遊技盤の裏面全体を覆うように機構板２が配設されており、該機構板２の後面側にはパチンコ球を貯留する球タンク５が設けられ、該球タンク５の下方にパチンコ球を整列して流下させる球誘導樋６が設けられている。また、球誘導樋６の下流側に屈曲誘導樋７を介して本発明の球制御装置としての球払出装置９が接続される。さらに該球払出装置９の下方には、払出されたパチンコ球を機前の球受皿（図示せず）に導く排出樋１０が設けられている。
【００１７】
また、機構板２の下方には入賞球集合部３に集められた入賞球を１個ずつ排出処理する入賞球処理装置４が設けられている。
【００１８】
次に、図２ないし図５を参照して球制御装置としての球払出装置９の構成について説明する。球払出装置９は箱枠状のケース１２に前記屈曲誘導樋７の球通路７ａと連通する供給通路１３と、該供給通路１３に臨み最先のパチンコ球を支持する制御体としての回転体１４と、該回転体１４の回転により供給通路１３のパチンコ球が移動する屈曲通路１５と、回転体１４の支持から外れ払出されるパチンコ球ほぼ１個分の通路幅を有する排出通路１６とを備え、ケース１２のカバー体１７に前記回転体１４を回転駆動する電気的駆動源としてのモータ１８が取付けられている。前記供給通路１３は仕切壁８により複列で供給する複数の供給通路１３ａ，１３ｂが形成されており、終端部は供給通路１３ａ，１３ｂの最先のパチンコ球が移動自在となっている。なお、モータ１８は回転制御が容易なステッピングモータが望ましいが通常のモータであってもよい。
【００１９】
１９は排出通路１６に払出された直後のパチンコ球を検出する検出手段としてのセンサであり、該センサ１９は発光部１９ａと受光部１９ｂとからなる光学式センサで、しかも排出通路１６の中心線からずれた位置でその光軸が交差するように配置され、回転体１４による制止が開放されたパチンコ球が光軸を遮ることで該パチンコ球を検知し得るように配置される。なお、検出手段は複数の光軸がパチンコ球の通過方向と直交する面内にて交差する光学式センサとしてもよく、該光学式センサを用いることにより、例えば貸球および賞球として払出されたパチンコ球をそれぞれ別々に計数することができる。また、検出手段として近接スイッチを上下に複数設けるようにしてもよい。
【００２０】
しかして、前記回転体１４は、図３および図５に示すように、円柱状をした周面に軸方向と平行な溝状の球受部２０を複数（本実施の形態では３条）形成しており、その両端部に該球受部２０に向って下傾する傾斜角度の異なる円錐台形のガイド面２１ａ，２１ｂを設けて、合成樹脂により供給通路１３の通路幅Ｗとほぼ等しい寸法に成形される。そして、球受部２０は前記供給通路１３ａ，１３ｂに並んだパチンコ球が同時に２個受け入れない形状幅が選ばれ、回転体１４の中心をモータ軸１８ａに直結してモータ１８の回転により回動するようにしている。なお、球受部２０の数を本実施の形態では３条としたがこの数に限定されることはない。また、前記ガイド面２１ａ，２１ｂは必ずしも傾斜角度を異ならせることはなく、しかも回転体１４の両端に設けることはなく球受部２０にパチンコ球が同時に２個受け入れないように少なくとも一端に設けるようにすればよい。また、回転体１４はアルミ合金のダイカスト成形等の金属により成形してもよく、当然のことながら強度に優れしかもパチンコ球に帯電した静電気を放電し、静電気による障害を未然に防止することができる。
【００２１】
次に、上記構成からなる球払出装置９の払出し動作について図４および図５を参照して説明する。前記屈曲誘導樋７の球通路７ａから供給通路１３ａ，１３ｂにパチンコ球が供給され、図４および図５に示すように供給通路１３ａの最先のパチンコ球Ｂ１が傾斜の急なガイド面２１ａに案内されて回転体１４の球受部２０に支持されて並ぶ。この状態でモータ１８を駆動し、回転体１４を図４において矢印で示す反時計回り方向に回転させると、パチンコ球Ｂ１は図４鎖線に示すように球受部２０で支持されつつ屈曲通路１５を移動し、後続のパチンコ球Ｂ２がガイド面２１ｂに案内されて球受部２０に支持される。そして、さらに回転体１４が回動するとパチンコ球Ｂ１が球受部２０の支持から外れて排出通路１６に落下しセンサ１９で検出され、図５実線に示す最先のパチンコ球が球受部２０に支持される状態となる。そして、さらに回転体１４が回転するとパチンコ球Ｂ２が球受部２０の支持から外れて排出通路１６に落下することになる。
【００２２】
このようにして、回転体１４の回転によって排出通路１６に落下する供給通路１３ａ，１３ｂのパチンコ球Ｂ１，Ｂ２…は、排出通路１６でセンサ１９の光軸を遮りながら１個ずつ落下し、排出樋１０に排出されることになる。そして、所定個数の払出しが行われ、センサ１９によりパチンコ球が検知されるとモータ１８が停止する。なお、本実施の形態において球受部２０の支持から外れて排出通路１６に落下直後のパチンコ球を検出するようにしたが、落下前のパチンコ球を検出してその検出信号によって回転体１４をそのパチンコ球が落下するまで回転するようにしてもよい。
【００２３】
以上のように、本実施の形態に係る球払出装置９は、供給通路１３ａ，１３ｂに並ぶパチンコ球を回転するガイド面２１ａ，２１ｂにより球受部２０に誘導するようにしたので、回転体１４およびモータ１８に負荷を掛けることなく無理なく単列に整列でき、回転体１４の回転がスムーズに行われパチンコ球を１個ずつ確実に払出すことができる。
【００２４】
図６は、前記供給通路１３をパチンコ球がランダムに並列する幅広に形成した実施の形態を示し、本実施の形態において供給通路１３の通路幅Ｗを供給通路１３内にパチンコ球が複列でランダムに並列可能な２４ｍｍとしている。そして、供給通路１３の内面に複数の突起２２がランダムに設けられ、該突起２２によりパチンコ球の流下速度を減少させると共に、パチンコ球の動きがよりランダムとなり供給通路１３で球詰りを起すことがない。
【００２５】
上記構成からなる球払出装置９の払出し動作は、前記屈曲誘導樋７の球通路７ａから供給通路１３にパチンコ球が供給され、図６に示すように最先のパチンコ球Ｂ１がガイド面２１に誘導されて回転体１４の球受部２０に支持され供給通路１３内にランダムに並ぶ。この状態でモータ１８を駆動し回転体１４を回転させると、ガイド面２１に誘導されながら前記実施の形態と同様に１個ずつ球受部２０の支持から外れてセンサ１９で検知されながら排出通路１６に落下する。このとき、供給通路１３のパチンコ球は同図鎖線に示すように、上下方向だけでなく左右方向にランダムに動くため球圧が四方に分散すると共に、パチンコ球同士の接点がずれパチンコ球の配列が変化することによりバランスが崩れ球詰りすることなくパチンコ球が流下する。
【００２６】
以上のように、本実施の形態に係る球払出装置９は、供給通路１３にパチンコ球がランダムに並ぶことにより、球圧が回転体１４に直下的に掛かることなく供給通路１３側壁に分散するので、回転体１４に掛かる球圧が減少されモータ１８への負荷を軽減させることができる。また、例え少数の払出しでもパチンコ球が払出されるたびに通路内のパチンコ球が動き並び方が変化して適度な振動が発生し、それがバイブ効果となり屈曲誘導樋７は勿論のこと上流の球誘導樋６および球タンク５の球詰りを防止する効果を生ずる。
【００２７】
また、供給通路１３の仕切壁８をなくして通路幅Ｗをパチンコ球がランダムに並ぶ幅広とすることで、装置全体を縮小して小型化することができると共に、例え球払出装置９の取付時に多少の位置ずれや成形時のヒケがあったとしても、屈曲誘導樋７のパチンコ球を球払出装置９に確実に供給することができる。また、球誘導樋６および屈曲誘導樋７でパチンコ球を整列する必要がないので、球誘導樋６および屈曲誘導樋７を供給通路１３と同様にパチンコ球がランダムに並ぶ幅広としてもよく、さらには例えば球タンク５の球導出口に直接球払出装置９設けることも可能となる。
【００２８】
また、図７および図８に示すように供給通路１３の終端部を段違いに屈曲膨出１３ｃして前後方向にずらすようにしてもよく、このようにすることで、供給通路１３内でパチンコ球が平行に並んで球詰まりしそうになるのを図７および図８鎖線に示すようにパチンコ球が移動方向（前後方向）にずれて球心位置が変化して球詰まりを未然に防ぐことができる。このとき、前後方向にずれたパチンコ球の球心が回転体１４の回転軸１８ａよりも回動方向に位置するようにするのが好ましい。
【００２９】
また、回転体１４のガイド面２１ａ，２１ｂに凹凸を設けるようにしてもよく、図９に示すように球受部２０の一側に対応してガイド面２１ａ，２１ｂに凹部２４を交互に設け、球受部２０に受入れやすくするのが好ましい。このとき、球受部２０は例えば４条のように偶数設けるのがよい。また、ガイド面２１ａ，２１ｂに凹部２４を設けてガイド面２１ａ，２１ｂを凹凸とすることでパチンコ球に適度な振動を与えることも可能となり、供給通路１３での球詰りを未然に防ぐことができる。なお、凹部２４を回転方向側に広くすることにより、さらに早く球受部２０に受入れられるようになる。
【００３０】
なお、電気的駆動源をモータ１８としたがソレノイドを用いてパチンコ球の自重により回転する回転体１４の回転を制御するようにしてもよい。さらに、制御体は回転体に限られることなく球通路に進退してパチンコ球を制御する揺動体としてもよい。また、本発明の実施の形態の球払出装置９は、貸球または賞球用の球払出装置に限られることなく、パチンコ機間に設けられる球貸し機、さらには球タンクへの補給機としても使用することができる。また、球制御装置として球払出装置について詳述したが、上記した球制御装置の電気的駆動源を用いることなく制御体としての回転体をパチンコ球の自重により回転させ、複列またはランダムに流下するパチンコ球を単列で整列排出するようにして整流装置として使用するようにしてもよく、例えばパチンコ機から排出されるアウト球を貯留して１個ずつ放出するアウト球タンクに設けることも可能である。さらには、球詰りすることなくパチンコ球とパチンコ球の間隔を離して１個ずつ排出することができるため、高速で計数するパチンコ球の計数機にも充分適応できる。
【００３１】
また、本発明の球制御装置は入賞球を排出制御する入賞球処理装置等にも適用することができ、図１０および図１１を参照して入賞球処理装置について説明する。
【００３２】
入賞球処理装置４は、前記入賞球集合部３の出口と連通状に形成された入賞球通路の終端部分を垂直状通路部２６として形成し、該垂直状通路部２６の下方に箱状の通路枠２７を設け、該通路枠２７の内部に制御体としてのフリッカー部材２８を設け、その側方に位置して電気的駆動源としてのソレノイド２９を設けている。このフリッカー部材２８は、上下ほぼ中間が軸３０によって上下方向に回動自在に支持されると共に、下方に回動されたとき垂直通路部２６の真下に位置して最先端部の入賞球Ｂを上面で受け止める球止部３１と上方に回動されたとき球止部３１から落下する入賞球を受け入れて保持し、かつ下方に回動されたときその入賞球を球排出通路３２に落下させる球受部３３とを一体に有し、側面には通路枠２７の外方へ突出する係合ピン３４を設けている。３５はフリッカー部材２８上面で受け止める最先端部の入賞球を検知する検知手段としての検出器である。
【００３３】
しかして、球通路としての垂直通路部２６は入賞球がランダムに並ぶ幅広として、前記フリッカー部材２８の球止部３１および球受部３３の側端に該球止部３１および球受部３３に向う傾斜を異ならせたガイド面３６，３６を設けている。
【００３４】
次に上記した構成からなる入賞球処理装置の作動について説明する。ソレノイド２９が消磁してフリッカー部材２８が図１０および図１１実線のように下方に回動されているとき、入賞球集合部３にランダムに集められた入賞球はその終端から垂直通路部２６に導かれ、ガイド面３６，３６によりその最先端部の入賞球Ｂがフリッカー部材２８の球止部３１上面で受け止められて待機する。そして、ソレノイド２９が励磁するとこれのプランジャ３７がコイルばね３８の付勢に抗して上方に吸引され揺動し、これによってフリッカー部材２８の係合ピン３４が連結部材３９によって上動し、該フリッカー部材２８が軸３０を支点として図１１鎖線のように上方に回動して球止部３１上面で受け止められていた最先端部の入賞球Ｂを球受部３３に受け入れる。そして、ソレノイド２９が消磁するとプランジャ３７がコイルばね３８の付勢によって元の状態に復帰し、これによってフリッカー部材２８も図１１実線のように軸３０を支点に下方に回動して球受部３３に受け入れた入賞球Ｂを球排出通路３２に落下させる。
【００３５】
このように上記入賞球処理装置４は、入賞球集合部３にランダムに集められた入賞球を球通路としての垂直通路部２６に導き、フリッカー部材２８のガイド面３６，３６により確実に入賞球を単列に整列し、フリッカー部材２８の揺動により１個ずつ球排出通路３２に排出するようになっている。
【００３６】
また、球通路としての垂直通路部２６を入賞球がランダムに並ぶ幅広とすることで、従来のように入賞球集合部３に集められた入賞球を単列に整列して入賞球処理装置４に導く必要がないので、入賞球集合部３自体も幅広にでき、例え「大当り」となって一気に多量の入賞球が入賞球集合部３に集められても入賞球が溢れて大入賞口の開閉を阻止するようなトラブルを起すことなく入賞球集合部３に集めることができる。
【００３７】
【発明の効果】
以上に述べたように本発明に係るパチンコ球の球制御装置は、複列またはランダムに流下する球通路の最先のパチンコ球を制御する制御体の周面に同時に２個のパチンコ球を受け入れない球受部を設けると共に、端部に該球受部に向って傾斜するガイド面を設けるようにしたので、確実に単列で排出可能となる。
【図面の簡単な説明】
【図１】本発明が適用されるパチンコ機の裏面図である。
【図２】本発明に係る球払出装置の斜視図である。
【図３】図２の分解斜視図である。
【図４】球払出装置の正断面図である。
【図５】球払出装置の側断面図である。
【図６】他の実施の形態の球払出装置の側断面図である。
【図７】他の実施の形態の球払出装置の正断面図である。
【図８】図７の平断面図である。
【図９】他の実施の形態の制御体の斜視図である。
【図１０】入賞球処理装置の正断面図である。
【図１１】入賞球処理装置の側断面図である。
【符号の説明】
４                    入賞球処理装置（球制御装置）
９                    球払出装置（球制御装置）
１３                  供給通路（球通路）
１３ａ，１３ｂ        供給通路（球通路）
１４                  回転体（制御体）
１６                  排出通路
１８                  モータ（電気的駆動源）
１９                  センサ（検出手段）
２０                  球受部
２１                  ガイド面
２１ａ，２１ｂ        ガイド面
２６                  垂直通路部（球通路）
２８                  フリッカー部材（制御体）
２９                  ソレノイド（電気的駆動源）
３１                  球止部
３３                  球受部
３５                  検出器（検出手段）
３６                  ガイド面
Ｗ                    通路幅
【図１】
0004628536.tif 000002
【図２】
0004628536.tif 000003
【図３】
0004628536.tif 000004
【図４】
0004628536.tif 000005
【図５】
0004628536.tif 000006
【図６】
0004628536.tif 000007
【図７】
0004628536.tif 000008
【図８】
0004628536.tif 000009
【図９】
0004628536.tif 000010
【図１０】
0004628536.tif 000011
【図１１】
0004628536.tif 000012